【事件の表示】
　特願２０１３−　８３８９９「太陽電池モジュール及びそれに適用されるリボン結合体」拒絶査定不服審判事件〔平成２６年　１月１６日出願公開、特開２０１４−　　７３８４〕について、次のとおり審決する。
【結　論】
　本件審判の請求は、成り立たない。
【理　由】
第１　手続きの経緯 
　本願は、平成２５年４月１２日（パリ条約による優先権主張　２０１２年６月２２日　韓国）の出願であって、平成２６年４月１８日付けで拒絶理由が通知され、同年８月２０日付けで意見書が提出されるとともに同日付けで手続補正がなされ、同年９月４日付けで拒絶査定がなされ、これに対して平成２７年１月９日に拒絶査定に対する審判請求がなされるとともに、同時に手続補正がなされた。 
　その後、当審において、平成２７年１２月８日付けで拒絶理由が通知され、平成２８年３月１４日付けで意見書が提出されるとともに同日付で手続補正がなされたものである。
第２　本願発明 
　本願の特許請求の範囲の請求項１ないし１９に係る発明は、平成２８年３月１４日付け手続補正により補正された特許請求の範囲の請求項１ないし１９に記載された事項によって特定されるものであるところ、本願の特許請求の範囲の請求項１に係る発明（以下「本願発明」という。）は、以下のとおりのものであると認められる。
「第１太陽電池及び第２太陽電池を含む複数の太陽電池であって、前記第１太陽電池及び前記第２太陽電池のそれぞれは、半導体基板と、前記半導体基板の後面に形成される第１導電型領域及び第２導電型領域と、前記半導体基板の後面に位置し、前記第１導電型領域に電気的に連結される第１電極と、前記半導体基板の後面において前記第１電極と離隔して位置し、前記第２導電型領域に電気的に連結される第２電極と、を含む、前記第１太陽電池及び第２太陽電池を含む複数の太陽電池と、
　前記第１太陽電池の前記第１電極及び前記第２電極の一つと前記第２太陽電池の前記第１電極及び前記第２電極の他の一つを前記半導体基板の後面で電気的に連結するリボンと、
　前記複数の太陽電池と前記リボンとの間に位置する絶縁部と、を含み、
　前記リボンが、前記第１太陽電池及び前記第２太陽電池の間の前記リボンの少なくとも一部で、前記絶縁部又は前記複数の太陽電池と隣接した前記リボンの一面に傾斜面を有し、入光面に形成される複数の凹凸を含み、
　前記絶縁部は、前記第１太陽電池及び前記第２太陽電池の間の前記リボンの前記少なくとも一部に位置する少なくとも一つの凹凸を覆うように位置され、
　前記絶縁部が透過性を有する、太陽電池モジュール。」
第３　当審の拒絶理由通知
　当審の拒絶の理由の概略は、以下のとおりである。
　本願の請求項１ないし１９に係る発明は、下記の引用文献１及び２に記載された事項に基いて、当業者が容易に発明をすることができたものであるから、特許法第２９条第２項の規定により特許を受けることができない。
　引用文献１：特開２００９−２６６８４８号公報
　引用文献２：特表２０１０−５１７３１５号公報
第４　刊行物、各刊行物、及び引用発明の認定 
１　本願の優先日前に頒布され、当審の拒絶の理由に引用された刊行物である、特開２００９−２６６８４８号公報（以下「引用文献１」という。）には、以下の事項が記載されている（下線は当審において付与した。）。 
（１）「【０００１】
　本発明は、光電変換部の裏面上に形成されたｎ側電極とｐ側電極とを有する太陽電池を備える太陽電池モジュールに関する。」
（２）「【００２７】
　光電変換部３０は、光が入射する受光面と受光面の反対側に設けられる裏面とを有する。
光電変換部３０は、
半導体材料によって構成される。
【００２８】
　
光電変換部３０は、図５に示すように、裏面側に形成されたｎ型領域３６とｐ型領域３８とを含む。
【００２９】
　ｎ型領域３６は、光電変換部３０の裏面に不純物（リンなど）をドーピングすることにより形成される高濃度のｎ型拡散領域である。光電変換部３０内部で生成される電子は、ｎ型領域３６に集まる。
【００３０】
　ｐ型領域３８は、光電変換部３０の裏面に不純物（ボロン、アルミニウムなど）をドーピングすることにより形成される高濃度のｐ型拡散領域である。光電変換部３０内部で生成される正孔は、ｐ型領域３８に集まる。
【００３１】
　
ｎ側電極３２は、ｎ型領域３６上に形成される。
【００３２】
　
ｐ側電極３４は、ｐ型領域３８上に形成される。
（３）「【００５１】
[第２実施形態]
　以下において、第２実施形態について、図面を参照しながら説明する。第２実施形態では、接続部材が、第１部分と第２部分とに分離されている。第１部分と第２部分とは、導電体によって電気的に接続される。
【００５２】
　（太陽電池モジュールの構成）
　第２実施形態に係る太陽電池モジュールの構成について、図９を参照しながら説明する。図９は、第２実施形態に係る太陽電池モジュール２を示す側面図である。
【００５３】
  図９に示すように、太陽電池モジュール２は、太陽電池ストリング１０２を備える。
太陽電池ストリング１０２は、複数の太陽電池１０と、緩衝材１４と、接続部材５０とを備える。
【００５４】
　（太陽電池ストリングの構成）
　図１０は、太陽電池ストリング１０２の背面図である。図１１は、太陽電池ストリング１０２の上面図である。図１０及び図１１に示すように、複数の太陽電池１０それぞれは、接続部材５０によって接続される。以下、接続部材５０の構成について説明する。なお、各太陽電池１０の構成は、第１実施形態と同様である。
【００５５】
　図１２は、第２実施形態に係る接続部材５０の上面図である。図１２に示すように、
接続部材５０は、第１部分５１と、第２部分５２と、第３部分５３とを有する。
【００５６】
　
第１部分５１は、一の太陽電池１０が有する光電変換部３０の裏面と接合される第１表面５１Ｓを有する。第１表面５１Ｓは、導電性を有する第１導電領域５１ａと、絶縁性を有する第１絶縁領域５１ｂとを含む。第１導電領域５１ａは、一の太陽電池１０が有するｎ側電極３２に沿って形成される。第１導電領域５１ａは、一の太陽電池１０が有するｎ側電極３２に電気的に接続される。
【００５７】
　
第２部分５２は、他の太陽電池１０が有する光電変換部３０の裏面と接合される第２表面５２Ｓを有する。第２表面５２Ｓは、導電性を有する第２導電領域５２ａと、絶縁性を有する第２絶縁領域５２ｂとを含む。第２導電領域５２ａは、他の太陽電池１０が有するｐ側電極３４に沿って形成される。第２導電領域５２ａは、他の太陽電池１０が有するｐ側電極３４に電気的に接続される。
【００５８】
　
第３部分５３は、第１部分５１と第２部分５２とを電気的に接続する導電体である。第３部分５３は、一の太陽電池１０と他の太陽電池１０との間に露出する
【００５９】
　図１３は、図１０のＰ−Ｐ断面図である。図１３に示すように、接続部材５０の第１部分５１は、導電体５４と絶縁体５５とを有する。第１導電領域５１ａは、導電体５４の表面である。第１導電領域５１ａは、一の太陽電池１０が有するｎ側電極３２と対向する。第１絶縁領域５１ｂは、絶縁体５５の表面である。第１絶縁領域５１ｂは、ｐ側電極３４と対向する。
【００６０】
　図１４は、図１０のＱ−Ｑ断面図である。図１４に示すように、接続部材５０の第２部分５２は、導電体５４と絶縁体５５とを有する。第２導電領域５２ａは、導電体５４の表面である。第２導電領域５２ａは、他の太陽電池１０が有するｐ側電極３４と対向する。第２絶縁領域５２ｂは、絶縁体５５の表面である。第２絶縁領域５２ｂは、ｎ側電極３２と対向する。
【００６１】
　なお、絶縁体５５は、第１部分２１の表面に選択的に絶縁処理を施すことによって形成することができる。また、太陽電池１０と接続部材５０との間には、接着層４０が設けられる。従って、一の太陽電池１０が有するｎ側電極３２は、第１導電領域５１ａに電気的に接続される。一方、一の太陽電池１０が有するｐ側電極３４は、第１導電領域５１ａから電気的に分離されている。
【００６２】
　図１５は、図１０のＲ−Ｒ断面図である。図１５に示すように、接続部材５０の第１部分５１の第１導電領域５１ａは、接着層４０を介して、一の太陽電池１０が有するｎ側電極３２に電気的に接続される。
【００６３】
　図１６は、図１０のＳ−Ｓ断面図である。図１６に示すように、第１部分５１の第１絶縁領域５１ｂは、接着層４０を介して、一の太陽電池１０が有するｐ側電極３４に接続される。第１絶縁領域５１ｂとｐ側電極３４とは、電気的に分離されている。
【００６４】
　また、図１６に示すように、第３部分５３と一の太陽電池１０との間には、緩衝材１４が配設されている。
緩衝材１４は、
ＥＶＡ、ＥＥＡ、ＰＶＢなどの樹脂材料によって形成することができる。
【００６５】
　（作用及び効果）
　第２実施形態では、第１導電領域５１ａは、一の太陽電池１０が有するｎ側電極３２に沿って形成され、ｎ側電極３２に電気的に接続される。第２導電領域５２ａは、他の太陽電池１０が有するｐ側電極３４に沿って形成され、ｐ側電極３４に電気的に接続される。第１導電領域５１ａと第２導電領域５２ａとは、電気的に接続される。
【００６６】
　従って、一の太陽電池１０の略全長に渡ってｎ側電極３２を形成でき、他の太陽電池１０の略全長に渡ってｐ側電極３４を形成できる。その結果、一の太陽電池１０及び他の太陽電池１０から光生成キャリアを効率的に収集できる。
【００６７】
　また、第２実施形態では、第１部分５１は、一の太陽電池１０の配列方向中央部に配置され、第２部分５２は、他の太陽電池１０の配列方向中央部に配置される。従って、光生成キャリアがｎ側電極３２又はｐ側電極３４の内部を移動する距離を短くすることができる。その結果、ｎ側電極３２又はｐ側電極３４の内部における光生成キャリアの抵抗損失を低減することができる。
【００６８】
　また、第２実施形態では、第１部分５１は、一の太陽電池１０の配列方向中央部に配置され、第２部分５２は、他の太陽電池１０の配列方向中央部に配置される。従って、一の太陽電池１０及び他の太陽電池１０の配列方向端部に接続部材５０が押し付けられることを抑制できる。その結果、一の太陽電池１０及び他の太陽電池１０の端部に割れや欠けが発生することを抑制できる。
【００６９】
　また、第３部分５３と一の太陽電池１０との間、及び第３部分５３と他の太陽電池１０との間には、緩衝材１４が配設される。従って、導電性を有する第３部分５３が、太陽電池１０に接触することによって太陽電池１０が破損することを抑制できる。また、第３部分５３と太陽電池１０との間での短絡の発生を抑制できる。」
（４）図５
（５）図９
（６）図１０
（７）図１１
（８）図１２
（９）図１３
（１０）図１４
（１１）図１５
（１２）図１６
（１３）図９、１６より、引用文献１の「緩衝材１４」が、「複数の太陽電池１０」と「接続部材５０」との間に位置することが、看取できる。
　上記（１）ないし（１３）により、引用文献１には、以下の発明（以下「引用発明」という。）が記載されていると認められる。 
「複数の太陽電池１０と、緩衝材１４と、接続部材５０とを備える太陽電池ストリング１０２であって、
　前記複数の太陽電池１０が有する、半導体材料によって構成された光電変換部３０は、裏面側に形成されたｎ型領域３６とｐ型領域３８とを含み、ｎ側電極３２は、前記ｎ型領域３６上に形成され、ｐ側電極３４は、前記ｐ型領域３８上に形成され、
　前記接続部材５０は、第１部分５１と、第２部分５２と、第３部分５３とを有し、
　前記第１部分５１は、一の太陽電池１０が有する光電変換部３０の裏面と接合される第１表面５１Ｓを有し、前記第１表面５１Ｓは、導電性を有する第１導電領域５１ａと、絶縁性を有する第１絶縁領域５１ｂとを含み、前記第１導電領域５１ａは、前記一の太陽電池１０が有するｎ側電極３２に沿って形成されて前記ｎ側電極３２に電気的に接続され、
　前記第２部分５２は、他の太陽電池１０が有する光電変換部３０の裏面と接合される第２表面５２Ｓを有し、前記第２表面５２Ｓは、導電性を有する第２導電領域５２ａと、絶縁性を有する第２絶縁領域５２ｂとを含み、前記第２導電領域５２ａは、前記他の太陽電池１０が有するｐ側電極３４に沿って形成されて前記ｐ側電極３４に電気的に接続され、
　前記第３部分５３は、前記第１部分５１と前記第２部分５２とを電気的に接続する導電体であり、
　前記緩衝材１４は、前記複数の太陽電池１０と前記接続部材５０との間に位置し、ＥＶＡ、ＥＥＡ、ＰＶＢなどの樹脂材料によって形成される、
　太陽電池ストリング１０２。」
２　本願の優先日前に頒布され、当審の拒絶の理由に引用された刊行物である、特表２０１０−５１７３１５号公報（以下「引用文献２」という。）には、以下の事項が記載されている（下線は当審において付与した。）。 
（１）「【０００６】
　
本発明の目的は、太陽電池、相互コネクタ、太陽電池によってカバーされなかった領域から太陽電池に向かって入射光を向け直す（リダイレクトする）ための反射部材を有する太陽電池モジュールの態様を単純化することである。
（２）「【００２７】
　図１は、ある数の直列に相互接続された太陽電池２を備え、一方、太陽電池２が相互コネクタ３によって相互接続された、完全な太陽電池モジュール１を示す。他の太陽電池２および相互コネクタ３の１つ以上の列が、透明な前カバーの後ろに相互接続され、そして透過的にカプセル化（密封）される。この前カバーはガラスのシートでありうるが、その一方で、ＥＶＡが透明なカプセル化材料として使われうる。
【００２８】
　図２を参照すると、図１に示した相互接続の詳細を示し、２つの隣接する太陽電池２ａおよび２ｂが相互コネクタ３によって相互接続されている。前面、すなわち相互コネクタ３の受光面は、反射構造４によって実質的に完全にコーティングされる。相互コネクタ３は、その長手方向エッジ上に、細長いバー６に接続された接続部材５を有する。これらは、太陽電池の上で、はんだ付け、または何らかの他の適切な接続手段によって、対応する接続アイランドに接続されうる。相互コネクタ３は、銅のような良電気伝導性を備えた材料から作られうる。
【００２９】
　接続部材は相互コネクタ３の主要本体に対して、また相互コネクタ３に接続された他の接続部材に対して少し動くことができる。この相互コネクタ配置は、相互コネクタの十分な硬さを確保する一方で、太陽電池アセンブリにおける異なった部分間でのいくらかの相対的な運動を可能にするために、好ましくは柔軟である。この設計は、異なった動作温度下での熱膨張によって引き起こされる相互接続された太陽電池２ａ及び２ｂの変位を補償するための、相互コネクタ３の応力緩和スプリング構造をもたらす。バー６は、接続部材５と相互コネクタ３の主要本体との間にさらに良好な応力緩和をも提供するために、曲がりくねった設計としうる。
【００３０】
　図３ａから図３ｄは、様々な典型的な相互コネクタ設計を示す。図３ａは、中央の領域において反射性表面４と、太陽電池に接続される接続部材５ａとしての両方の長手方向エッジとを備えた相互コネクタの非常に基本的な設計を示す。太陽電池の接触設計に応じて、単一の接続部材５ｂを、図３ｂで示すように相互コネクタから引き出されるように、配置することもできる。
【００３１】
　異なった動作温度下での熱膨張によって引き起こされる相互接続された太陽電池の変位を補償するための、相互コネクタの応力緩和スプリング構造をもたらす設計が、図３ｃおよび図３ｄに示されている。図３ｃを参照すると、薄いバー６ｃのみによってそれぞれの接続部材５ｃがさらに高い弾性を提供する相互コネクタに連結されるように、それぞれの接続部材５ｃに隣接する相互コネクタ中に開口部７ｃが作られる。
【００３２】
　図２の実施形態に対応する図３ｄで示さられた設計では、接続部材５ｄが相互コネクタのエッジから引き出され、そしてそれぞれが、相互コネクタの主要本体と接続部材５ｄとの間に薄いギャップ７ｄを形成するさらに長いバー６ｄによって連結される。バー６ｄは、接続部材５ｄと相互コネクタの主要本体との間にさらに良好な応力緩和をも提供するために、曲がりくねった設計としうる。
【００３３】
　太陽電池モジュール１に使われる太陽電池のタイプに応じて、相互接続を適用する２つの方法がある。図４ａに示されるように、相互コネクタ３は、裏面上の両方の太陽電池の上に接続部材５を接続することによって、太陽電池２ａおよび２ｂを相互接続するように適用されうる。図４ｂにおいて、相互コネクタ３の接続部材５ａは太陽電池２ａの裏面に接続され、そして相互コネクタ３の接続部材５ｂは隣接する太陽電池２ｂの前面に接続される。
【００３４】
　好ましくは、太陽電池上の金属で覆われた対応する接続アイランドへの相互コネクタ３の接続部材５の接続は、はんだ付けによってなされる。従って、少なくとも接続部材５のすずコーティングが適切であるが、完全な相互コネクタ３のコーティングもされうる。
【００３５】
　図５ａは、相互コネクタ３上に反射構造４にとって好ましい形状を提供する第１の方法を示す。相互コネクタ３の本体をパンチすることによって、Ｖグルーブ（溝）を施した形状が実現され、断面において、相互コネクタ３の本体が、相互コネクタ３の厚さより高い振幅を持つが、太陽電池および覆い（カプセル化材料）の厚さより高くはないジグザグの形に現出するようになる。
【００３６】
　反射構造４ａの反射性を改善すために、追加の反射性コーティングを適用することができる。
【００３７】
　
相互コネクタ３上の反射構造４ｂを形成する第２の方法が図５ｂに示されている。相互コネクタ３の本体をエンボス加工することは、反射構造４ｂのためのＶグルーブを提供する。
【００３８】
　図５ｃでは、好ましい形状を提供するための第３の方法が示されている。追加の材料、好ましくは重合体の層４ｃが、相互コネクタ３の主要本体上に付着される。それによって、追加の層４ｃはエンボス加工され、相互コネクタ３に付けられる前または後に好ましい形状を提供すしうる。必要な反射性を提供するために、追加の反射性コーティングが層に４ｃ上に堆積される。
【００３９】
　上述の方法の１つによって提供されうる好ましい形状は、Ｖグルーブであり、それは、Ｖグルーブ上への入射光が、前カバーの前面で内部反射させられるような臨界角より大きな角度で前カバー中に後方反射されるような角度である。１１０°〜１３０°の範囲の角度がＶグルーブにとって好ましい設計である、ということが見出された。
【００４０】
　反射構造４の反射性を改善する追加のコーティングは、好ましくはＡｇ層であるが、それだけでなく、Ａｌ、Ａｕ、反射性重合体、その他の材料とすることができる。特に太陽電池モジュール中で相互コネクタ３が密封される前に腐食によって引き起こされる、この反射性コーティングの反射性低下を妨げるために、透明な保護コーティングを反射性コーティング上に適用することができる。
【００４１】
　図６は相互コネクタ上の反射構造の原理を示す。透明な前プレート１０は、お互いに間隔を置かれて配置された複数の太陽電池１１に重なり、太陽電池がない領域１３を提供する。太陽電池１１は、反射構造１２を持った相互コネクタによって電気的に相互接続され、前面１４と裏面１５とを持つ。反射構造１２は、太陽電池の間のギャップ１３に配置される。太陽電池のない領域１３に入射する光は、反射構造１２から反射され、そして透明な前プレート１０中に戻り、そして全反射（ＴＩＲ）によって太陽電池１１の方に、前プレート１０と空気との間の界面で再び反射する。」
（３）図５ｂ
　上記（１）ないし（３）によれば、引用文献２には、以下の事項（以下「引用文献２に記載された事項」という。）が記載されていると認められる。
「太陽電池によってカバーされなかった領域から太陽電池に向かって入射光を向け直す（リダイレクトする）ために、相互コネクタ３の本体をエンボス加工して反射構造４ｂのためのＶグルーブを提供すること。」 
第５　当審の判断 
１　本願発明と引用発明とを対比する。 
（１）引用発明の「一の太陽電池１０」、「他の太陽電池１０」、「複数の太陽電池１０」、「半導体材料によって構成された光電変換部３０」、「ｐ型領域３８」、「ｎ型領域３６」、「ｐ側電極３４」、「ｎ側電極３２」、「接続部材５０」及び「太陽電池ストリング１０２」は、本願発明の「第１太陽電池」、「第２太陽電池」、「複数の太陽電池」、「半導体基板」、「第１導電型領域」、「第２導電型領域」、「第１電極」、「第２電極」、「リボン」及び「太陽電池モジュール」に、それぞれ相当する。
（２）引用発明の「前記複数の太陽電池１０が有する、半導体材料によって構成された光電変換部３０は、裏面側に形成されたｎ型領域３６とｐ型領域３８とを含み、ｎ側電極３２は、前記ｎ型領域３６上に形成され、ｐ側電極３４は、前記ｐ型領域３８上に形成され」ることは、本願発明の「太陽電池及び前記第２太陽電池のそれぞれは、半導体基板と、前記半導体基板の後面に形成される第１導電型領域及び第２導電型領域と、前記半導体基板の後面に位置し、前記第１導電型領域に電気的に連結される第１電極と、前記半導体基板の後面において前記第１電極と離隔して位置し、前記第２導電型領域に電気的に連結される第２電極と、を含む、前記第１太陽電池及び第２太陽電池を含む複数の太陽電池」「を含」むことに相当する。
（３）引用発明の「前記接続部材５０は、第１部分５１と、第２部分５２と、第３部分５３とを有し、前記第１部分５１は、一の太陽電池１０が有する光電変換部３０の裏面と接合される第１表面５１Ｓを有し、前記第１表面５１Ｓは、導電性を有する第１導電領域５１ａと、絶縁性を有する第１絶縁領域５１ｂとを含み、前記第１導電領域５１ａは、前記一の太陽電池１０が有するｎ側電極３２に沿って形成されて前記ｎ側電極３２に電気的に接続され、前記第２部分５２は、他の太陽電池１０が有する光電変換部３０の裏面と接合される第２表面５２Ｓを有し、前記第２表面５２Ｓは、導電性を有する第２導電領域５２ａと、絶縁性を有する第２絶縁領域５２ｂとを含み、前記第２導電領域５２ａは、前記他の太陽電池１０が有するｐ側電極３４に沿って形成されて前記ｐ側電極３４に電気的に接続され、前記第３部分５３は、前記第１部分５１と前記第２部分５２とを電気的に接続する導電体であ」ることは、本願発明の「前記第１太陽電池の前記第１電極及び前記第２電極の一つと前記第２太陽電池の前記第１電極及び前記第２電極の他の一つを前記半導体基板の後面で電気的に連結するリボン」「を含」むことに相当する。
（４）引用発明の「緩衝材１４は、ＥＶＡ、ＥＥＡ、ＰＶＢなどの樹脂材料によって形成される」ものであるから、引用発明の「緩衝材１４」が、絶縁性であり、透過性を有することは明らかである。
　すると、引用発明の「緩衝材１４」は、本願発明の「絶縁部」に相当し、引用発明の「緩衝材１４は、」「ＥＶＡ、ＥＥＡ、ＰＶＢなどの樹脂材料によって形成される」ことは、本願発明の「前記絶縁部が透過性を有する」ことに相当する。
　上記（１）ないし（４）より、本願発明と引用発明は、 
「第１太陽電池及び第２太陽電池を含む複数の太陽電池であって、前記第１太陽電池及び前記第２太陽電池のそれぞれは、半導体基板と、前記半導体基板の後面に形成される第１導電型領域及び第２導電型領域と、前記半導体基板の後面に位置し、前記第１導電型領域に電気的に連結される第１電極と、前記半導体基板の後面において前記第１電極と離隔して位置し、前記第２導電型領域に電気的に連結される第２電極と、を含む、前記第１太陽電池及び第２太陽電池を含む複数の太陽電池と、
　前記第１太陽電池の前記第１電極及び前記第２電極の一つと前記第２太陽電池の前記第１電極及び前記第２電極の他の一つを前記半導体基板の後面で電気的に連結するリボンと、
　前記複数の太陽電池と前記リボンとの間に位置する絶縁部と、を含み、
　前記絶縁部が透過性を有する、太陽電池モジュール。」
の点で一致し、以下の相違点１、２で相違する。 
＜相違点１＞「リボン」が、本願発明では、「前記第１太陽電池及び前記第２太陽電池の間の前記リボンの少なくとも一部で、前記絶縁部又は前記複数の太陽電池と隣接した前記リボンの一面に傾斜面を有し、入光面に形成される複数の凹凸を含」むのに対して、引用発明の「接続部材５０」はそのような構成でない点。
＜相違点２＞「絶縁部」が、本願発明では、「前記第１太陽電池及び前記第２太陽電池の間の前記リボンの前記少なくとも一部に位置する少なくとも一つの凹凸を覆うように位置され」るのに対して、引用発明の「緩衝材１４」はそのように位置されるものでない点。
２　上記相違点１、２について検討する。
　太陽電池モジュールにおいて、リボン等の太陽電池を接続する接続部材に入射した光を有効に利用するという課題は周知のものである。そして、該課題の解決にあたり、太陽電池によってカバーされなかった領域から太陽電池に向かって入射光を向け直す（リダイレクトする）ために、相互コネクタ３（リボンに相当する。）の本体をエンボス加工して反射構造４ｂのためのＶグルーブ（本願発明の傾斜面を有し、入射面に形成される複数の凹凸に相当する。）を提供することは、引用文献２に記載されている。 
　してみると、引用発明の「接続部材５０」に引用文献２に記載された事項を適用して相違点１にかかる構成とすることは、当業者が容易に想到し得ることである。
 
　引用発明に引用文献２に記載された事項を適用するに際して、「太陽電池によってカバーされたかった領域」に対応するエンボス加工を、引用発明の「接続部材５０」のどの範囲まで行うかは、
（１）どのような方法のエンボス加工を採用するか（たとえば、ポンチで何度も叩くようにするか、金型で一度で形成するかなど。）、
（２）エンボス加工を行う装置の精度（ポンチの頭の大きさ、金型の精密さなど。ポンチの頭が大きかったり、金型が精密でなければ、該「領域」からはみ出して、「Ｖグループ」が形成されることがあり得る。）、
（３）被加工部材である接続部材５０の大きさ（相互コネクタ３のサイズが小さくて、加工装置の精度が低ければ、精密な範囲で、エンボス加工ができないから、該「領域」からはみ出して、「Ｖグループ」が形成されることがあり得る。）、
（４）「太陽電池によってカバーされなかった領域から太陽電池に向かって入射光を向け直す」ために必要な、Ｖグループ（溝）の大きさや、それらの間隔（Ｖグループが大きくて、間隔が広い場合は、「太陽電池によってカバーされなかった領域」からはみ出して、Ｖグループが形成されることがあり得る。）、
　などを考慮して、
少なくとも
　してみると、引用発明に引用文献２に記載された事項を適用するに際して、接続部材５０に対するエンボス加工によるＶグループを、「太陽電池によってカバーされなかった領域」を含め、さらに、「複数の太陽電池とリボンとの間に位置する絶縁部」である「緩衝剤１４」の部分にもＶグループを形成することは、適宜行われることであって、格別なことではない。
　したがって、引用発明に引用文献２に記載された事項を適用して相違点１、２にかかる構成とすることは、当業者が容易に想到し得ることである。
　そして、本願発明が奏する作用効果も、当業者が予測できる域を超えるものではない。
４　まとめ 
　以上のとおり、本願発明は、引用発明及び引用文献２に記載された事項に基いて、当業者が容易に発明をすることができたものである。
第６　むすび
　以上のとおり、本願発明は、特許法第２９条第２項の規定により特許を受けることができない。
　したがって、本願は、その余の請求項について検討するまでもなく、拒絶されるべきものである。
　よって、結論のとおり審決する。